(57)【要約】  【課題】小型化及びコストダウンを図りながら操作性の向上を実現できる読取記録装置を提供する。  【解決手段】装置外部から読取部２００の内部へ至る第１の開口部２２１ｂと読取部２００の内部から記録部１００の内部へ至る第２の開口部２２１ａとを設け、第１の開口部２２１ｂに移動可能な蓋部材２２３を設け、蓋部材２２３を読取部２００の内部へ向けて移動させることにより装置外部から記録部１００の内部へアクセス可能にする。【選択図】                図３
2005294948.tif 000002
【特許請求の範囲】
【請求項１】
記録手段によりシート材に記録を行う記録部と、読取手段により原稿を読み取る読取部と、装置外部から前記読取部の内部へ至る第１の開口部と、前記読取部の内部から前記記録部の内部へ至る第２の開口部と、前記第１の開口部に設けられた移動可能な蓋部材と、を備え、該蓋部材を前記読取部の内部へ向けて移動させることにより装置外部から前記記録部の内部へアクセス可能にしたことを特徴とする読取記録装置。
【請求項２】
前記第１の開口部と前記第２の開口部は共通の１つの開口部によって形成されていることを特徴とする請求項１に記載の読取記録装置。
【請求項３】
前記第１の開口部の開閉状態を検知可能とし、開状態であることを検知したとき、前記記録手段を前記第２の開口部からアクセス可能な位置へ移動させることを特徴とする請求項１又は２に記載の読取記録装置。
【請求項４】
前記蓋部材を前記読取部の内部へ移動させて前記第１の開口部を開いたとき、前記読取部の内部を前記蓋部材によって閉空間とすることを特徴とする請求項１〜３のいずれか１項に記載の読取記録装置。
【請求項５】
前記蓋部材を前記読取部の内部へ移動させて前記第１の開口部を開くとき、読取手段を前記蓋部材と干渉しない位置に静止させることを特徴とする請求項１〜４のいずれか１項に記載の読取記録装置。
【請求項６】
記録手段によりシート材に記録を行う記録部と、読取手段により原稿を読み取る読取部と、装置外部から前記読取部の内部へ至る開閉可能な第１の開口部と、前記読取部の内部から前記記録部の内部へ至る第２の開口部と、を備え、前記第１の開口部を開口させることにより装置外部から第１及び第２の開口部を通して前記記録部へアクセス可能にしたことを特徴とする読取記録装置。
【請求項７】
前記第１の開口部の開閉状態を検知可能とし、開状態であることを検知したときに、前記記録手段を前記第２の開口部からアクセス可能な位置へ移動させることを特徴とする請求項６に記載の読取記録装置。
【請求項８】
前記第１の開口部が開状態であるときに、前記読取手段を装置外部から容易に触れられない位置に静止させることを特徴とする請求項６又は７に記載の読取記録装置。
【発明の詳細な説明】
【技術分野】
【０００１】
本発明は、プリンタ、複写機、印刷装置、ファクシミリ及びスキャナ等を含む画像形成装置及び画像読取装置等において、記録部と読取部とを備えた読取記録装置に関する。
【背景技術】
【０００２】
プリンタ、複写機、印刷装置、ファクシミリ及びスキャナ等を含む画像形成装置から成る記録部と、原稿を読み取る画像読取装置等から成る読取部とを備えた読取記録装置として、一体型の外装の内部に、記録部（記録装置）の上部に読取部（フラットベットスキャナ等の読取装置）を配置した構成体を収容したものが使用されている。上記記録部は、カセットに積載された被記録材としてのシート材を給紙機構によって記録領域へ給送し、記録領域で移動（走査）可能に装着された記録ヘッドを画像情報に基づいて駆動することによりシート材に記録し、記録されたシート材を排紙トレイ等の排紙領域へ排出するように構成されている。一方、上記読取部は、ＣＣＤセンサ等を有する読取手段によって原稿台上の原稿を読み取り、読み取った画像情報を取り出し可能な状態で蓄積するように構成されている。そして、記録部と該記録部の上面部に装着される読取部とを重ね合わせた状態で一体型の外装の内部に配設することにより、読取記録装置が構成されている。
【０００３】
図５は上述の読取記録装置の全体構成の外観を示す模式的斜視図であり、図６は図５の読取記録装置の記録部の内部構成を示す模式的斜視図であり、図７は図５の読取記録装置において原稿カバーを外して読取部の内部構成を示す模式的平面図である。図５〜図７の読取記録装置は１つの外装で記録部と読取部を覆った構成を有している。図５において、１００は記録部、２００は読取部、１０１は記録のためのシート材を積載するカセット、１０２は排出されたシート材を受けるための排紙領域であり、２０１は読取部で読み取るための原稿を載置するための原稿台（原稿載置台）、２０２は原稿台上の原稿を覆って保持するための原稿カバーである。
【０００４】
図６及び図７において、給紙機構の給紙ローラ（不図示）を駆動することによりカセット１０１内から分離給送された１枚のシート材は、複数の中間ローラ（不図示）によって、キャリッジ１０４に搭載された記録手段１０５に対向する位置に設置されたプラテン１０６上にＵターン搬送される。キャリッジ１０４は、キャリッジモータ１０７の駆動をタイミングベルト１０８を介して受けることで駆動され、ガイドシャフト１０９及びガイドレール１１０に沿って主走査方向（図示の例ではシート材搬送方向と交差する方向）に平行に往復駆動される。キャリッジ１０４に搭載された記録手段１０５は、該キャリッジの背面側に設けられたキャリッジ基板１１４を介して可撓性ケーブル（フレキシブルケーブル）１１１により、装置本体側に装着された制御基板１５０と接続されている。キャリッジ１０４の位置制御に同期して記録手段１０５を記録データに基づいて駆動することにより、プラテン１０６上のシート材に画像が記録される。
【０００５】
キャリッジモータ１０７としては、ＤＣモータやステッピングモータなどが使用される。そして、キャリッジ１０７の位置制御においては、装置本体側に設置されたリニアスケール１１２のスリット（１インチあたり３００スリット等）をキャリッジ基板１１４上のエンコーダセンサ（不図示）で検知することによりフィードバック制御を行っている。このような制御により、キャリッジ１０４の正確な速度（位置）制御と低速から高速までの静かで安定した駆動とを可能としている。また、キャリッジ１０４は、種々の厚さのシート材に対する記録を可能とするため、昇降可能に構成されている。キャリッジ１０４及び記録手段１０５の昇降は、昇降モータ１１３で駆動されるカム手段によりガイドシャフト１０９を矢印Ｚ方向に昇降させることで行われる。すなわち、シート材の厚さに応じて記録手段１０５を該シート材の厚み方向に移動させるための移動手段が設けられている。以上により、１ラインずつの記録とシート材の搬送とを交互に繰り返すことでシート材全体に対する記録を行い、記録されたシート材を排紙領域１０２へ排紙する構成の記録部１００が構成されている。
【０００６】
図５及び図７において、読取部２００の上面には、ガラス板等で構成された原稿台（原稿載置台）２０１と、原稿を覆うための開閉可能な原稿カバー２０２とが設けられている。原稿台２０１の下部には、ガイドシャフト２０４に沿って往復移動可能に案内支持された読取手段としての読取ユニット２０３が設けられている。この読取ユニット２０３は、その両端部でをガイドレール（不図示）によって案内支持されている。読取ユニット２０３にはＣＣＤセンサ等の読取手段が搭載されている。この読取ユニット２０３は、可撓性ケーブルから成る電気接続手段によって装置本体側の制御基板（記録部と共通）に接続され、読取モータ２０５の駆動によりタイミングベルト２０６を介して移動することで原稿の全体を読み取るように構成されている。読取モータ２０５としてはＤＣモータやステッピングモータなどが使用される。制御容易性の点ではステッピングモータに分が有り、精度及び静粛性の点ではＤＣモータに分が有る。以上により、原稿からの読み取りデータ、並びにホスト機器から送られるデータに基づく記録が可能な読取記録装置が構成されている。
【０００７】
以上図５〜図７を用いて説明した読取記録装置においては、キャリッジ１０４とともに記録手段１０５を移動させるための駆動手段（キャリッジモータ）１０７、並びに読取手段（読取ユニット）２０３を移動させるための駆動手段（読取モータ）２０５は、いずれも、エンコーダセンサ等による位置検出に基づいて制御されるモータで構成されている。また、上記記録手段１０５を移動させるための駆動伝動手段、並びに上記読取手段２０３を移動させるための駆動伝動手段は、いずれも、図示のようなタイミングベルト１０８、２０６もしくはワイヤ（不図示）により駆動力を伝達するように構成されている。以上説明した読取記録装置を開示する文献として、例えば特開２００４−２５５８８号公報を挙げることができる。
【特許文献１】特開２００４−２５５８８号公報
【発明の開示】
【発明が解決しようとする課題】
【０００８】
このように記録部と読取部を一体型の外装の内部に配置した従来の読取記録装置においては、記録のためのインクなどの消耗材を交換したり、シート材の紙詰まりを解消したりする際に、上部の読取部全体を回動（開閉）させて作業するか、記録部の正面側からのアクセスで対応するように構成されている。しかしながら、前者の読取部を回動させる構成の場合には、読取部全体を持ち上げることになるため、操作性に難点がある他に、ヒンジ（回動中心）周りの構造、持ち上げたときのロック構造、記録部と読取部を分離するための外装構造などが必要になり、装置構成が複雑になり、大型化及びコストアップを招くという不都合があった。
【０００９】
一方、後者の記録部の正面側からのアクセスで対応する場合には、装置が机上に置かれているようなときに、大きく屈み込んで作業したり、狭いスペースに手を挿入することになるため、操作性が不十分であるという不都合があった。これは、特に記録部の小型化が進行している現在において顕著であり、装置の小型化が阻害される要因にもなっている。本発明はこのような技術的課題に鑑みてなされたものであり、本発明の目的は、小型化及びコストダウンを図りながら操作性の向上を実現できる読取記録装置を提供することである。
【課題を解決するための手段】
【００１０】
本発明は、上記目的を達成するため、記録手段によりシート材に記録を行う記録部と、読取手段により原稿を読み取る読取部と、を備えた読取記録装置において、装置外部から前記読取部の内部へ至る第１の開口部と前記読取部の内部から前記記録部の内部へ至る第２の開口部とを設け、前記第１の開口部に移動可能な蓋部材を設け、該蓋部材を前記読取部の内部へ向けて移動させることにより装置外部から前記記録部の内部へアクセス可能にしたことを特徴とする。
【００１１】
また、本発明は、上記目的を達成するため、記録手段によりシート材に記録を行う記録部と、読取手段により原稿を読み取る読取部と、を備えた読取記録装置において、装置外部から前記読取部の内部へ至る開閉可能な第１の開口部と前記読取部の内部から前記記録部の内部へ至る第２の開口部とを設け、前記第１の開口部を開口させることにより装置外部から第１及び第２の開口部を通して前記記録部へアクセス可能にしたことを特徴とする。
【発明の効果】
【００１２】
上記構成の本発明の読取記録装置によれば、小型化及びコストダウンを図りながら操作性の向上を実現できる読取記録装置が提供される。
【発明を実施するための最良の形態】
【００１３】
以下、図面を参照して本発明の実施形態を具体的に説明する。なお、各図面を通して同一符号は同一又は対応部分を示すものである。図１は本発明による読取記録装置の第１の実施形態の開口部を閉じたときの要部構成を示す模式的斜視図であり、図２は図１の読取記録装置の開口部を開いたときの要部構成を示す模式的斜視図であり、図３は図１の読取記録装置の開口部を開いたときの要部構成を図１と異なる方向から見た模式的斜視図である。図１〜図３において、１００は記録部、２００は読取部、１０１は記録のためのシート材を積載するカセット、１０２は排出されたシート材を受けるための排紙領域である。本実施形態においても、読取部２００の上面には、図５の場合と同様、読取部で読み取るための原稿を載置するための原稿台（原稿載置台）２０１、原稿台上の原稿を覆って保持するための原稿カバー２０２が設けられている。
【００１４】
以下、本実施形態の記録部１００及び読取部２００の特徴的な構成について詳細に説明する。なお、本実施形態は、以下に説明する点を除いて、図５〜図７で説明した記録部１００及び読取部２００と実質的に同じ構成を有しており、それぞれ対応する部分が同一符号で示されている。図１〜図３において、読取記録装置には、読取部２００の内部から記録部１００の内部へ至る水平開口部２２１ａと、外装部の前面に形成されて読取部２００の内部を装置外部へ開放させるための垂直開口部２２１ｂとを有し、これらの開口部２２１ａ、２２１ｂを連続させて形成された開口部２２１が設けられている。この開口部２２１は、外装部の垂直開口部２２１ｂの上縁に沿って設けられた回転中心２２２の回りで回転可能（揺動可能）な蓋部材２２３によって開閉可能に構成されている。前記蓋部材２２３には、通常状態（図１の開口部２２１を閉じた状態）で前記水平開口部２２１ａを覆って閉鎖する水平蓋部２２３ａと、同じく通常状態で前記垂直開口部２２１ｂを覆って閉鎖する垂直蓋部２２３ｂとが一体に設けられている。
【００１５】
蓋部材２２３は、矢印Ｂ方向にばね付勢されており、通常状態では図１に示すような開口部２２１を覆う閉鎖位置に保持されている。前記開口部２２１を開く場合は、ユーザが装置前面から垂直蓋部２２３ｂを装置内部へ向けて矢印Ｘ方向へ押し込むことにより、蓋部材２２３が付勢ばね力に抗して回転中心２２２を中心に内方へ回転し、水平蓋部２２３ｂが矢印Ａ方向へスライドする。そして、蓋部材２２３を矢印Ａ方向へ十分に押し込むことにより、前記開口部２２１の垂直開口部２２１ｂ及び水平開口部２２１ａが同時に開口させられる（開放される）。そして、蓋部材２２３は、回転中心２２２周りのフリクションによって軽ロック状態となっているため、手を離して押し力を無くしても開放位置に静止状態で保持される。つまり、装置前面から垂直蓋部２２３ｂを押すだけで図１の閉鎖状態から図２及び図３の開放状態にすることができる。一方、前記開口部２２１を閉じる場合は、蓋部材２２３を図２及び図３の開放状態から軽く引き戻すだけで、蓋部材２２３を戻り方向へ回転させ、水平蓋部２２３ｂを矢印Ｂ方向へスライドさせることで図１の閉鎖状態に戻すことができる。
【００１６】
以上の構成によれば、通常状態では、蓋部材２２３によって開口部２２１を覆って閉鎖することで、記録部１００と読取部２００を別空間にし、読取部２００と装置外部とを別空間にするとともに、読取部２００内を閉空間にすることにより、記録部１００の内部及び読取部２００の内部へのゴミ等の異物の侵入が防止（阻止）されている。そして、記録のためのインクなどの消耗材の交換、シート材の紙詰まり解消などの保守点検操作を行う際には、蓋部材２２３を押すだけの簡単な操作で開口部２２１を開口させることにより、記録部１００の内部へ容易にアクセスすることができる。
【００１７】
以下、第１の実施形態について更に詳細かつ具体的に説明する。図１〜図３において、蓋部材２２３は、回転中心２２２によって読取部２００の外装部に対し回転可能に支持されるとともに、その垂直蓋部２２３ｂの両側に弾性的に曲げ（屈曲）可能な稜線２２４が設けられている。一方、蓋部材２２３は、通常状態では、その水平蓋部２２３ａが読取部２００の内部の底面に位置することで、読取部２００と記録部１００との間の開口部（水平開口部）２２１ａを覆うとともに、矢印Ａ及び矢印Ｂ方向にスライド可能に支持されている。蓋部材２２３は矢印Ｂ方向にばね付勢されている。さらに、蓋部材２２３の端部にマイクロスイッチ等のセンサ（不図示）を設けることにより、蓋部材２２３の開閉状態を検出できるように構成されている。
【００１８】
また、読取手段（読取ユニット）２０３が開口部２２１を避けた位置にあるときにのみ蓋部材２２３が開閉可能（開放可能）となるようなロック機構（不図示）が設けられている。記録のためのインクなどの消耗材を交換したり、シート材の紙詰まりを解消するなどの保守点検作業を行う際には、蓋部材２２３（その水平蓋部２２３ｂ）を押すことによって、回転中心２２２を中心に該蓋部材２２３を回転させて該蓋部材２２３を矢印Ａ方向に移動させる。その際、蓋部材２２３（その垂直蓋部２２３ｂ）の両端部２２５も、それぞれの稜線部２２６によって曲がり（屈曲し）ながら読取部２００の内部へ移動可能であり、蓋部材２２３を完全に押し込むと図２及び図３に示すような状態になる。
【００１９】
図２及び図３の開放状態では、蓋部材２２３が読取ユニット２０３の移動領域に入り込んでおり、読取ユニット２０３の読み取りのための移動は不可能である。また、この開放状態では、読取部２００の内部は、開口部２２１に対して、蓋部材２２３の両端部２２５によって両サイド（両側部位）を覆われた状態になり、前記垂直蓋部２２３ｂによって下面（底面）を覆われた状態になる。こうして、読取部２００は、蓋部材２２３を押して開口部２２１が露出する前と同様に、閉空間の状態に維持されている。さらに、この開放状態では、蓋部材２２３は、回転中心２２２周りのフリクション（摩擦）によって軽いロック状態となっており、手を離してもばね付勢力だけでは閉じ位置へ復帰せず、静止可能な状態になっている。蓋部材２２３を元の閉じ位置に戻す際は、手前側へ引いてフリクションを解除してやることで、該蓋部材２２３の付勢ばね力によって戻すことができる。
【００２０】
また、本実施形態においては、蓋部材２２３を押した状態では、開口部２２１が露出する（開放される）とともに、蓋部材２２３の開閉状態を検知するセンサ信号によって記録手段（記録ヘッド）１０５を搭載したキャリッジ１０４が開口部２２１の中央部に移動することで、記録部１００に対するインク交換や紙詰まり解消のための作業を容易に行うことができるように構成されている。さらに、図３中に示すように記録部１００の外装部の一部を開閉可能な扉構成１２１とすれば、シート材の紙詰まり解消等の作業を非常に容易に行うことが可能となり、一層の操作性向上を図ることができる。従って、図１〜図３の第１の実施形態によれば、装置外部から記録部１００の内部に至る開閉可能な開口部２２１を形成することで、小型化及びコストダウンを図りながら操作性の向上を実現できる読取記録装置が提供される。
【００２１】
図１〜図３を用いて説明した第１の実施形態においては、記録手段によりシート材に記録を行う記録部と、読取手段により原稿を読み取る読取部と、を備えた読取記録装置において、装置外部から読取部２００の内部へ至る第１の開口部２２１ｂと読取部２００の内部から記録部１００の内部へ至る第２の開口部２２１ａとを設け、第１の開口部２２１ｂに移動可能な蓋部材２２３を設け、蓋部材２２３を読取部２００の内部へ向けて移動させることにより装置外部から記録部１００の内部へアクセス可能に構成されている。そして、第１の開口部２２１ｂと第２の開口部２２１ａは共通の（図示の例では１つの）開口部２２１によって形成されている。
【００２２】
また、第１の開口部２２１ｂの開閉状態を検知可能とし、開状態であることを検知したとき、記録手段１０５を第２の開口部２２１ａからアクセス可能な位置へ移動させるように構成されている。また、蓋部材２２３を読取部２００の内部へ移動させて第１の開口部２２１ｂを開いたとき、読取部２００の内部を蓋部材２２３によって閉空間とするように構成されている。さらに、蓋部材２２３を読取部２００の内部へ移動させて第１の開口部２２１ｂを開くとき、読取手段２００を蓋部材２２３と干渉しない位置に静止させるように構成されている。
【００２３】
なお、本発明は以上の第１の実施形態に限定されるものではなく、特許請求の範囲の記載による全ての構成をその範囲内に含むものである。例えば、本実施形態では、読取記録装置の前面側に開口部２２１を設ける構成としたが、これは側面あるいは背面側に開口部を設ける構成にしてもよい。また、開口部２２１を開けた状態で読取部２００内を閉空間に維持するために、蓋部材２２３に曲げ（屈曲）可能な稜線部２２６を設ける場合を例示したが、これは、ゴムシートなどの弾性部材を用いて同様の機能効果を実現するように構成してもよい。
【００２４】
図４は本発明を適用した読取記録装置の実施例２の開口部を開いたときの要部構成を示す模式的斜視図である。以下に、図４を用いて、第２の実施形態の特徴的な構成について詳細に説明する。なお、本実施形態は、以下に説明する点を除いて、図５〜図７で説明した記録部１００及び読取部２００と実質的に同じ構成を有しており、それぞれ対応する部分が同一符号で示されている。図４において、記録部１００は、図１〜図３の第１の実施形態の場合と実質的に同じ構成をしており、読取部２００においては、読取手段としての読取ユニット２０３のＣＣＤ等の読取素子の周辺部に、ゴミ等の侵入を防止（阻止）するためのシール材（不図示）が設けられており、ゴミ等による不具合発生を防止又は軽減した構成が採られている。
【００２５】
また、ガラス板等で構成される原稿台（原稿載置台）２０１は矢印Ｃ方向にスライド（開閉）可能になっている。図４中の２点鎖線は、読取可能な状態から原稿台２０１を開放位置までスライド（移動）させた状態を示している。この場合の原稿台２０１のスライド量は図示の開き位置程度までの移動量に制限されており、開き位置でもユーザが読取ユニット２０３や電気接続手段（フレキシブルケーブルやフラットケーブル等の可撓性ケーブル）２０７に触ることがないように構成されている。
【００２６】
読取部２００の内部から記録部１００の内部に至る開口部２２７が設けられている。原稿台２０１を開き位置にスライドさせた状態では、開口部２２７が読取ユニット２０３等によって遮られることがなく、ほぼ完全に露出するように構成されている。原稿台２０１の開閉を検知するセンサ（不図示）が設けられ、原稿台２０１が開放された状態では、記録手段１０５を搭載したキャリッジ１０４が開口部２２７まで移動するように制御される。これによって、記録部１００に対するインク交換等の保守点検作業を容易に実行することができる。従って、図４の第２の実施形態によれば、装置外部から読取部２００を介して記録部１００の内部へ至る開閉可能な開口部を形成することで、小型化及びコストダウンを図りながら操作性の向上を実現できる読取記録装置が提供される。
【００２７】
本実施形態は、以上説明した点で図５〜図７の読取記録装置と相違するが、その他の点では実質的に同じ構成を有しており、それぞれ対応する部分を同じ符号で示し、それらの詳細説明は省略する。図４の第２の実施形態によれば、第１の実施形態と同様の効果が得られるとともに、更なるコストダウンが可能である。また、本実施形態では、原稿台２０１をスライドさせて開閉する構成としたが、これは回転等によって開閉する構成にしても良い。さらに、記録手段１０５のホームポジションと読取手段２０３のホームポジション位置を互いに反対側とし、記録手段１０５のホームポジション側にアクセス用の開口部２２７を設けることによって、原稿台２０１の開閉検知センサを省略できるように構成しても良い。
【００２８】
図４を用いて説明した第２の実施形態においては、記録手段によりシート材に記録を行う記録部と、読取手段により原稿を読み取る読取部と、を備えた読取記録装置において、装置外部から読取部２００の内部へ至る開閉可能な第１の開口部（原稿台２０１で開閉される上面開口部）と読取部２００の内部から記録部１００の内部へ至る第２の開口部２２７とを設け、原稿台２０１を移動させて上記第１の開口部を開口させることにより装置外部から第１及び第２の開口部を通して記録部１００へアクセス可能に構成されている。また、上記第１の開口部（上面開口部）の開閉状態を検知可能とし、開状態であることを検知したときに、記録手段１０５を第２の開口部２２７からアクセス可能な位置へ移動させるように構成されている。さらに、上記第１の開口部（上面開口部）が開状態であるときに、読取手段２００を装置外部から容易に触れられない位置に静止させるように構成されている。
【００２９】
なお、本発明は、記録部の記録手段として、インクジェット記録手段、レーザービーム記録手段、熱転写記録手段、感熱式記録手段、あるいはワイヤドット式記録手段など、いかなる記録方式の記録手段を使用する場合にも、同様に適用することができ、同様の作用効果を奏するものであり、これら全てをその範囲内に含むものである。また、本発明は、記録部の記録手段として、１個の記録ヘッドを用いる場合、異なる色のインクで記録する複数の記録ヘッドを用いる場合、あるいは同一色彩の異なる濃度で記録する複数の記録ヘッドを用いる場合、さらには、これらを組み合わせた記録手段を用いる場合にも、同様に適用することができ、同様の効果を達成し得るものである。
【００３０】
さらに、本発明は、記録部がインクジェット記録装置である場合、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、記録部がインクジェット記録装置である場合、例えば、ピエゾ素子等の電気機械変換体等を用いる記録手段を使用する場合にも適用できるが、中でも、熱エネルギーを利用してインクを吐出する方式の記録手段を使用する場合に特に優れた効果をもたらすものである。かかる方式によれば、記録の高密度化、高精細化が達成できるからである。
【図面の簡単な説明】
【００３１】
【図１】本発明による読取記録装置の第１の実施形態の開口部を閉じたときの要部構成を示す模式的斜視図である。
【図２】図１の読取記録装置の開口部を開いたときの要部構成を図１と同じ方向から見た模式的斜視図である。
【図３】図１の読取記録装置の開口部を開いたときの要部構成を図１と異なる方向から見た模式的斜視図である。
【図４】本発明による読取記録装置の第２の実施形態の開口部を開いたときの要部構成を示す模式的斜視図である。
【図５】本発明を適用する前の読取記録装置の全体構成の外観を示す模式的斜視図である。
【図６】図５の読取記録装置の記録部の内部構成を示す模式的斜視図である。
【図７】図５の読取記録装置において原稿カバーを外して読取部の内部構成を示す模式的平面図である。
【符号の説明】
【００３２】
１００      記録部
１０１      カセット
１０２      排紙領域
１０４      キャリッジ
１０５      記録手段（記録ヘッド）
１０６      プラテン
１０７      キャリッジモータ
１０８      タイミングベルト
１０９      ガイドシャフト
１１０      ガイドレール
１１１      フレキシブルケーブル
１１２      リニアスケール
１１３      昇降モータ
１１４      キャリッジ基板（回路基板）
１２１      扉構成
１５０      制御基板
２００      読取部
２０１      原稿台（原稿載置台）
２０２      原稿カバー
２０３      読取手段（読取ユニット）
２０４      ガイドシャフト
２０５      読取モータ
２０６      タイミングベルト
２０７      フレキシブルケーブル
２２１      開口部
２２１ａ    水平開口部
２２１ｂ    垂直開口部
２２２      回転中心
２２３      蓋部材
２２３ａ    水平蓋部
２２３ｂ    垂直蓋部
２２５      両端部（蓋部材）
２２６      稜線部（蓋部材）
２２７      開口部
【図１】
2005294948.tif 000003
【図２】
2005294948.tif 000004
【図３】
2005294948.tif 000005
【図４】
2005294948.tif 000006
【図５】
2005294948.tif 000007
【図６】
2005294948.tif 000008
【図７】
2005294948.tif 000009